(57)【要約】【課題】防火戸を使用せずにラッチ機構を手動で容易に解除状態にすることのできる防火戸用自動閉鎖装置を提供する。【解決手段】火災発生時、起動部が起動することによりラッチ機構部３を解除状態にして、ラッチ３ａと防火戸の係合部材Ｈとの係合を解除し、防火戸を自動で閉鎖させることができると共に、防火戸を閉鎖方向に引っ張ることによりラッチ機構部３を解除状態にして、ラッチ３ａと防火戸の係合部材Ｈとの係合を解除し、防火戸を手動で閉鎖させることができる防火戸用自動閉鎖装置１において、筐体２に、解除操作用開口部１０を設け、その解除操作用開口部１０を通じて外部からラッチ機構部３を解除状態にする操作を可能にしたことを特徴とする。【選択図】図４
2018104887.tif 000002
【特許請求の範囲】
【請求項１】
筐体内に、防火戸の係合部材と係合するラッチを有するラッチ機構部と、火災信号に基づいて起動する起動部とを備え、常時は、前記ラッチ機構部を固定状態にして、前記ラッチと前記防火戸の係合部材との係合を保持し、防火戸を開放状態に保持する一方、火災発生時は、前記起動部が起動することにより前記ラッチ機構部を解除状態にして、前記ラッチと前記防火戸の係合部材との係合を解除し、防火戸を自動で閉鎖させることができると共に、前記防火戸を閉鎖方向に引っ張ることにより前記ラッチ機構部を解除状態にして、前記ラッチと前記防火戸の係合部材との係合を解除し、防火戸を手動で閉鎖させることができる防火戸用自動閉鎖装置において、
前記筐体に、解除操作用開口部を設け、その解除操作用開口部を通じて外部から前記ラッチ機構部を解除状態にする操作を可能にしたことを特徴とする防火戸用自動閉鎖装置。
【請求項２】
前記解除操作用開口部は、外部から棒状体を挿通させることのできるものであり、その挿通させた棒状体により前記ラッチ機構部を解除状態にする操作が可能なものであることを特徴とする請求項１に記載の防火戸用自動閉鎖装置。
【請求項３】
前記解除操作用開口部の内側には、前記棒状体を操作対象に向けてガイドするガイド部が設けられていることを特徴とする請求項２に記載の防火戸用自動閉鎖装置。
【請求項４】
前記筐体内に、前記ラッチ機構部を固定状態又は解除状態にするラッチ固定機構部をさらに備えており、前記解除操作用開口部は、それを通じて外部から前記ラッチ固定機構部の操作が可能な位置に設けられていることを特徴とする請求項１乃至３の何れかに記載の防火戸用自動閉鎖装置。
【発明の詳細な説明】
【技術分野】
【０００１】
この発明は、常時は防火戸を開放状態に保持し、火災発生時等は防火戸を自動的に閉鎖させる防火戸用自動閉鎖装置に関する。
【背景技術】
【０００２】
防火戸用自動閉鎖装置（以下、単に「自動閉鎖装置」ともいう。）は、防火戸の係合部材と係合するラッチを有するラッチ機構を備えている。常時は、ラッチ機構を固定状態にして、ラッチと防火戸の係合部材の係合を保持し、防火戸を開放状態に保持する一方、火災発生時は、火災信号に基づき、ラッチ機構を解除状態にして、ラッチと防火戸の係合部材の係合を解除し、防火戸を自動で閉鎖させることができるようになっている（例えば、特許文献１参照）。
【０００３】
また、この種の自動閉鎖装置は、防火戸を自動で閉鎖させることができない場合に備え、防火戸を閉鎖方向に引っ張ることで防火戸の係合部材が、ラッチを解除方向に引っ張り、それによりラッチ機構を強制的に解除状態にして、ラッチと防火戸の係合部材との係合を解除し、防火戸を手動で閉鎖させることもできるようになっている（同文献１参照）。
【先行技術文献】
【特許文献】
【０００４】
【特許文献１】特公平３−１９３５０号公報
【発明の概要】
【発明が解決しようとする課題】
【０００５】
ところで、自動閉鎖装置は、施工時、動作試験時等にラッチ機構を手動で解除状態にすることがある。その際、防火戸の設置が完了していれば、前記のように防火戸を使用して（閉鎖方向に引っ張って）ラッチ機構を解除することができる。しかしながら、防火戸の設置が完了していなければ、防火戸を使用することができない。ラッチを解除方向に引っ張る力に対する係合を保持する力は、コイルスプリング等の弾性部材の弾力を調節することにより設定されているが、ラッチ機構を手動で解除状態にするときは、防火戸が使用されることを前提としており、また常時は防火戸を開放状態に保持しなければならないので、強い力が働くように設定されている。そのため、ラッチ機構を手動で解除状態にするとなると、非常に強い力が必要であり、防火戸を使用せずに、ラッチに解除方向の引っ張る力を加えることは困難なものとなる。なお、火災受信機等の設置が完了し、通電が可能な状態になっていれば、ソレノイド等の起動手段を起動させることにより、ラッチ機構を自動で解除状態にすることはできるが、通電が可能な状態になるのは、施工の最終段階であり、防火戸が設置されていない段階では、通電が可能な状態にはなっていないことも多い。
【０００６】
つまり、従来、自動閉鎖装置は、防火戸を使用せずにラッチ機構を手動で解除状態にするのが困難であった。
【０００７】
この発明は、前記の事情に鑑み、防火戸を使用せずにラッチ機構を手動で容易に解除状態にすることのできる防火戸用自動閉鎖装置を提供することを目的とする。
【課題を解決するための手段】
【０００８】
この発明は、筐体内に、防火戸の係合部材と係合するラッチを有するラッチ機構部と、火災信号に基づいて起動する起動部とを備え、常時は、前記ラッチ機構部を固定状態にして、前記ラッチと前記防火戸の係合部材との係合を保持し、防火戸を開放状態に保持する一方、火災発生時は、前記起動部が起動することにより前記ラッチ機構部を解除状態にして、前記ラッチと前記防火戸の係合部材との係合を解除し、防火戸を自動で閉鎖させることができると共に、前記防火戸を閉鎖方向に引っ張ることにより前記ラッチ機構部を解除状態にして、前記ラッチと前記防火戸の係合部材との係合を解除し、防火戸を手動で閉鎖させることができる防火戸用自動閉鎖装置において、前記筐体に、解除操作用開口部を設け、その解除操作用開口部を通じて外部から前記ラッチ機構部を解除状態にする操作を可能にしたことを特徴とする防火戸用自動閉鎖装置である。
【０００９】
また、この発明は、前記解除操作用開口部は、外部から棒状体を挿通させることのできるものであり、その挿通させた棒状体により前記ラッチ機構部を解除状態にする操作が可能なものであることを特徴とする防火戸用自動閉鎖装置である。
【００１０】
また、この発明は、前記解除操作用開口部の内側には、前記棒状体を操作対象に向けてガイドするガイド部が設けられていることを特徴とする防火戸用自動閉鎖装置である。
【００１１】
また、この発明は、前記筐体内に、前記ラッチ機構部を固定状態又は解除状態にするラッチ固定機構部をさらに備えており、前記解除操作用開口部は、それを通じて外部から前記ラッチ固定機構部の操作が可能な位置に設けられていることを特徴とする防火戸用閉鎖装置である。
【発明の効果】
【００１２】
この発明においては、筐体の外部から解除操作用開口部を通じてラッチ機構部を解除状態にする操作が可能であり、ラッチを引っ張ることなしに、ラッチ機構部を手動で解除状態にすることができる。
【００１３】
したがって、この発明によれば、防火戸を使用せずにラッチ機構を手動で容易に解除状態にすることのできる防火戸用自動閉鎖装置を提供することができる。
【００１４】
なお、この発明においては、防火戸を使用せずにラッチ機構を手動で容易に解除状態にすることができるので、施工時、防火戸の設置が完了するまでの間、防火戸に取り付けられる係合部材の紛失を防ぐために、ラッチに係合部材を仮に係合しておき、防火戸の設置が完了した後に係合部材をラッチから取り外して防火戸に取り付けるようにしたとしても、その際に必要となる係合部材の取り外しの作業を容易にすることができる。
【００１５】
また、この発明によれば、解除操作用開口部が、その開口部に挿通させた棒状体によりラッチ機構部を解除状態にする操作が可能なものであることにより、その操作をするのに棒状体を使用することができ、例えば、施工時、作業者が通常持っているドライバ等の簡単な工具を使用することができる。
【００１６】
また、この発明によれば、解除操作用開口部が、その開口部を通じて外部からラッチ固定機構部の操作が可能な位置に設けられていることにより、ラッチ固定機構部を動作させる操作をするだけでラッチ機構部を解除状態にすることができ、さらに容易にラッチ機構部を手動で解除状態にすることができる。
【図面の簡単な説明】
【００１７】
【図１】この発明の防火戸用自動閉鎖装置の実施形態の一例を示し、筐体上側を外した状態の上面図である。
【図２】同上を示し、図１の状態からさらに中間シャーシ等を外した状態を斜め上方から見た斜視図である。解除操作用開口部に挿通される操作用の棒状体１１を破線により示している。
【図３】同上を示し、筐体の側壁中、ラッチ開口部及び解除操作用開口部が設けられる側壁の側を示した装置全体の正面図である。
【図４】同上を示し、筐体下側を外した状態の下面図である。解除操作用開口部に挿通される操作用の棒状体１１を破線により示している。
【図５】同上を示し、（ａ）乃至（ｃ）の何れも図２のＢ矢視図に相当する図であり、起動手段の起動により自動でラッチ機構部を固定状態から解除状態にする場合の各部品の変化の様子を（ａ）乃至（ｃ）に分けて示したものである。（ａ）が、ラッチ機構部が固定状態にあるときのもの、（ｂ）が、ラッチ固定機構部が解除動作して、ラッチ機構部が解除状態に変化し始めたときのもの、（ｃ）が、ラッチ機構部が解除状態になり、防火戸の係合部材との係合を解除したときのものをそれぞれ示している。
【図６】同上を示し、図５に相当する図であり、解除操作用開口部を通じての操作により手動でラッチ機構部を固定状態から解除状態にする場合の各部品の変化の様子を示したものである。（ａ）及び（ｂ）中に、解除操作用開口部に挿通される操作用の棒状体１１を破線により示している。
【図７】同上を示し、（ａ）乃至（ｄ）の何れも図２のＢ矢視図に相当する図であり、防火戸を閉鎖方向に引っ張ることにより手動でラッチ機構部を解除状態にする場合の変化の様子を（ａ）乃至（ｄ）に分けて示したものである。（ａ）が、ラッチ機構部が固定状態にあるときのもの、（ｂ）が、ラッチ機構部の手動解除用のレバーがラッチ固定機構部の第２の解除トリガに当接したときのもの、（ｃ）が、手動解除レバーが第２の解除トリガを解除方向に押動してラッチ固定機構部が解除動作をし始めて、ラッチ機構部が解除状態になり始めたときのもの、（ｄ）が、ラッチ固定機構部が解除状態になり、防火戸の係合部材との係合を解除したときのものをそれぞれ示している。
【図８】図４の部分拡大図に相当する図であり、ラッチ固定機構部の他の例を示したものである。
【発明を実施するための形態】
【００１８】
この発明の自動閉鎖装置の実施形態の一例を図１乃至図８を参照して説明する。
【００１９】
まず、装置全体の構成の概要を説明する。
【００２０】
自動閉鎖装置１（防火戸用自動閉鎖装置１）は、図１及び図２に示したように、防火戸の係合部材の一例であるフックＨが出入するラッチ開口部２ａが設けられた筐体２を有しており、その筐体２の内部に、防火戸のフックＨと係合するラッチの一例であるラッチプレート３ａを有するラッチ機構部３と、ラッチ機構部３を固定状態又は解除状態にして、ラッチプレート３ａと防火戸のフックＨとの係合を保持又は解除するラッチ固定機構部４と、火災信号に基づいて起動する起動部の一例であるソレノイド５と、防火戸を引っ張ることにより手動でラッチプレート３ａと防火戸のフックＨとの係合を解除させる際の係合状態の保持力を調節する保持力調節機構部８等を備えている。なお、自動閉鎖装置１は、筐体２の内部に、ソレノイド５の起動に連動してラッチ固定機構部４を自動で解除動作させるための自動解除機構をさらに備えているが、その機構の図示は省略している。
【００２１】
そして、この自動閉鎖装置１は、常時は、ラッチ機構部３をラッチ固定機構部４により固定状態に保持して、ラッチプレート３ａと防火戸のフックＨとの係合を保持し、防火戸を開放状態に保持する一方、火災発生時は、火災信号に基づくソレノイド５の起動に連動して自動で、或いは、防火戸を閉鎖方向に引っ張ることにより手動で、ラッチ固定機構部４を解除動作させてラッチ機構部３を解除状態に変化させ、ラッチプレート３ａと防火戸のフックＨとの係合を解除し、防火戸を閉鎖させることができるようになっている。
【００２２】
なお、本実施形態において、ラッチプレート３ａは、具体的には、鉤状の係合部３ｅを有するものとしており、その鉤状の係合部３ｅがラッチ開口部２ａ内に開口側の出入口を閉じるように位置することにより、防火戸側のフックＨと係合するものとしている。
【００２３】
さらに、本実施形態において、筐体２は、図３に示したように、上下に二分割されたものとしており、筐体上側２ｂ及び筐体下側２ｃの二つの部分からなるものとしている。なお、ラッチ開口部２ａは、筐体上側２ｂ及び筐体下側２ｃの両側壁２ｄ，２ｅを縦方向全長に亘って設けられている。また、筐体上側２ｂと筐体下側２ｃの間に中間シャーシ７を設け、筐体２の内部を中間シャーシ７を境に上下二段の配置構造のものとしている。すなわち、中間シャーシ７の下側に前記のラッチ機構部３、ラッチ固定機構部４等が位置し、中間シャーシ７の上側に前記のソレノイド５、保持力調節機構部８等が位置するものとしている。なお、図１は、筐体上側２ｂを外した状態を上方から見て、主として上段側の構成部分を示したものであり、図２は、さらに中間シャーシ７を外した状態を上方から見て、主として下段側の構成部分を示したものである。
【００２４】
次に、各構成部分の詳細を説明する。
【００２５】
［ラッチ機構部］
ラッチ機構部３は、図２から詳細が理解されるように、前記のラッチプレート３ａに加え、係合凸部３ｆが設けられている係止プレート３ｂと解除レバー３ｉ（詳細は後記で説明）が設けられている解除レバー付きプレート３ｃを有している。また、係止プレート３ｂの係合凸部３ｆと係合する係合凹部３ｇが設けられているラッチアーム３ｄも有している。
【００２６】
３枚のプレート３ａ乃至３ｃは、ラッチプレート３ａと解除レバー付きプレート３ｃとの間に係止プレート３ｂが挟まれる配置で重ねられて設けられており、筐体２に位置固定の軸Ｘ１を軸として回動可能に設けられている。一方、ラッチアーム３ｄは、３枚のプレート３ａ乃至３ｃの側方（図面上の上方）の位置に設けられており、筐体２に位置固定の別の軸Ｘ２を軸として回動可能に設けられている。
【００２７】
３枚のプレート３ａ乃至３ｃが軸Ｘ１を軸として回動することにより、ラッチプレート３ａの係合部３ｅは、ラッチ開口部２ａの出入口を閉じるように位置して、防火戸側のフックＨとの係合が可能な係合位置（Ｐ１）と、ラッチ開口部２ａの出入口を開けるように位置して、防火戸側のフックＨとの係合を解除して解放が可能な解放位置（Ｐ２）との間を回動変位する（図５（ａ）乃至同（ｃ）等参照）。一方、ラッチアーム３ｄは、軸Ｘ２を軸として回動することにより、係止プレート３ｂと離接する方向（図面上の上下）に回動し、その係合凹部３ｇと係止プレート３ｂの係合凸部３ｆとを係脱させるように回動変位する（同図参照）。
【００２８】
ここで、３枚のプレート３ａ乃至３ｃにおいて、ラッチプレート３ａと解除レバー付きプレート３ｃとは、固定されて連結されている。また、ラッチプレート３ａと係止プレート３ｂとは、それぞれの回動端部に設けられている移動側調節片８ａ及び固定側調節片８ｂ（詳細は後記で説明）の部分で回動方向に離接可能に連結されている。すなわち、３枚のプレート３ａ乃至３ｃは、筐体２に位置固定の軸Ｘ１を軸として共に回動可能に設けられている。
【００２９】
そして、３枚のプレート３ａ乃至３ｃは、捩じりバネ等のスプリング（図示省略）により、常時、解放位置（Ｐ２）の側に付勢されているが、ラッチアーム３ｄの係合凹部３ｇと係止プレート３ｂの係合凸部３ｆは、互いに係合していれば、係止プレート３ｂの解放位置（Ｐ２）側への回動を停止するように設けられている。また、係止プレート３ｂは、ラッチアーム３ｄの係合凹部３ｇと係止プレート３ｂの係合凸部３ｆが係合するときに、ラッチプレート３ａの係合部３ｅが係合位置（Ｐ１）に位置するように設けられている。
【００３０】
つまり、ラッチ機構部３は、ラッチアーム３ｄの係合凹部３ｇと係止プレート３ｂの係合凸部３ｆとを係脱させることにより、３枚のプレート３ａ乃至３ｃの回動と停止を制御し、ラッチプレート３ａの係合部３ｅを防火戸のフックＨとの係合が可能な係合位置（Ｐ１）に保持する固定状態にすることができると共に、防火戸のフックＨの解放が可能な解放位置（Ｐ２）側に自動的に回動させる解除状態にすることができるように設けられている。
【００３１】
［ラッチ固定機構部］
ラッチ固定機構部４は、ラッチ機構部３と協働し、ラッチ機構部３を固定状態又は解除状態にし、ラッチプレート３ａと防火戸のフックＨとの係合を保持又は解除するように動作するものである。本実施形態においては、ラッチ機構部３の側方に位置してラッチアーム３ｄの回動端と連結され、伸張状態と屈折状態との間で変化可能なトグルリンク機構４ａからなるものとしている。
【００３２】
トグルリンク機構４ａは、筐体２に固定の軸Ｘ３を軸として回動可能な第１のアーム４ｂと、第１のアーム４ｂにジョイント部４ｄで回動可能に連結された第２のアーム４ｃとを備えており、第２のアーム４ｃにジョイント部４ｅでラッチアーム３ｄの回動端側が回動可能に連結されている。そして、トグルリンク機構４ａは、伸張状態にあるときには、ラッチアーム３ｄをその係合凹部３ｇが係止プレート３ｂの係合凸部３ｆと係合する位置（図５（ａ）等参照）に位置させ、屈折状態にあるときには、ラッチアーム３ｄをその係合凹部３ｇが係止プレート３ｂの係合凸部３ｆと係合しない位置（図５（ｃ）等参照）に位置させるリンクとして設けられている。
【００３３】
トグルリンク機構４ａにおいて、第１及び第２のアーム４ｂ，４ｃは、捩じりバネ等のスプリング４ｈ（図５（ａ）及び同（ｂ）等参照）により常時伸張側に付勢されており、両アーム４ｂ，４ｃが伸張状態にあれば、その状態が保持されるように構成されている。両アーム４ｂ，４ｃが伸張状態にあるとき、ラッチ機構部３は、ラッチアーム３ｄの係合凹部３ｇと係止プレート３ｂの係合凸部３ｆとが係合している状態にあり、係止プレート３ｂの回動が停止されて、ラッチプレート３ａの係合部３ｅを防火戸のフックＨとの係合が可能な係合位置（Ｐ１）に保持する固定状態にある。すなわち、トグルリンク機構４ａは、両アーム４ｂ，４ｃが伸張状態に保持されることにより、ラッチ機構部３を固定状態に保持する。
【００３４】
一方、第１及び第２のアーム４ｂ，４ｃを伸張側に付勢する付勢力に抗して屈折状態に変化させると、それに連動してラッチアーム３ｄがその係合凹部３ｇと係止プレート３ｂの係合凸部３ｆとの係合を解除する側に回動し、その係合状態が解除される。それにより、係止プレート３ｂの回動が停止されている状態が解除されて、ラッチプレート３ａの係合部３ｅが解放位置（Ｐ２）側に回動する。すなわち、トグルリンク機構４ａは、両アーム４ｂ，４ｃが屈折状態に変化することにより、ラッチ機構部３を解除状態に変化させる。
【００３５】
そして、このトグルリンク機構４ａには、ソレノイド５及び自動解除機構（図示省略）と協働し、ソレノイド５の起動に連動して自動でラッチ機構部３を解除状態に変化させるように操作される第１の解除トリガの一例である自動解除用のトリガピン４ｆがジョイント部４ｄ上に設けられている（図２参照）。また、防火戸を引っ張ることにより手動でラッチ機構部３を解除状態に変化させるように操作される第２の解除トリガの一例である手動解除用の鉤状のトリガレバー４ｇが第２のアーム４ｃの回動端部４ｉ側に設けられている（図４参照）。何れのトリガが操作されても、第１及び第２のアーム４ｂ，４ｃを屈折状態に変化させることができ、ラッチ機構部３を解除状態に変化させることができる。すなわち、ラッチプレート３ａの係合部３ｅを解放位置（Ｐ２）側に回動させて、防火戸のフックＨとの係合を解除し、そのフックＨを解放することができる。
【００３６】
［ソレノイド］
ソレノイド５は、火災信号に基づいて起動し、ラッチ固定機構部４及び自動解除機構（図示省略）と協働して、ラッチ機構部３を自動で解除状態にするように動作するものであり、火災信号に基づいて伸縮移動するプランジャ５ａを有している。自動解除機構（図示省略）は、動作時に縮長状態となるようにバネ等により付勢されており、プランジャ５ａは、常時は磁力により伸長状態に保持され、自動解除機構（図示省略）の動作を停止している（図１参照）。一方、火災発生時はソレノイド５に通電されることにより磁力が弱められてプランジャ５ａは縮長状態に変化可能となる。その際、自動解除機構（図示省略）は動作して縮長状態となり、プランジャ５ａを縮長状態に変化させつつ、トグルリンク機構４ａの自動解除用のトリガピン４ｆを解除方向（矢印Ａ１方向）に移動させる（図５（ａ）乃至同（ｃ）参照）。それにより、トグルリンク機構４ａの第１及び第２のアーム４ｂ，４ｃが屈折状態に変化し、ラッチ機構部３を解除状態に変化させる。
【００３７】
［保持力調節機構部］
自動閉鎖装置１は、防火戸を閉鎖方向に引っ張ることにより、ラッチ機構部３を手動で解除状態にすることもできるものである。保持力調節機構部８（図１、図７参照）は、その手動操作の際に要する力、すなわちラッチ機構部３の係合保持力を調節するためのものである。
【００３８】
保持力調節機構部８は、ラッチプレート３ａの回動側端部に立設された移動側調節片８ａと、移動側調節片８ａに対向して係止プレート３ｂの回動側端部に立設された固定側調節片８ｂと、両調節片８ａ，８ｂを互いに常時接近方向に付勢するスプリングの一例であるコイルスプリング８ｃと、両調節片８ａ，８ｂを貫通して両調節片８ａ，８ｂを互いに回動方向に離接可能に連結すると共に、コイルスプリング８ｃを伸縮させて付勢力を調節する調節ネジ８ｄ等を有している。
【００３９】
ここで、防火戸を閉鎖方向に引っ張ることにより、防火戸のフックＨと係合しているラッチプレート３ａは、それに固定されて連結されている解除レバー付きプレート３ｃと共に、解放位置（Ｐ２）側に回動する方向に引っ張られることになる。その引っ張られる力が、ラッチアーム３ｄによって回動が停止されている状態にある係止プレート３ｂの固定側調節片８ｂに、ラッチプレート３ａの移動側調節片８ａを接近方向に付勢してラッチプレート３ａの回動を停止しているコイルスプリング８ｃの付勢力に勝れば、ラッチプレート３ａは、解除レバー付きプレート３ｃと共に、解放位置（Ｐ２）側に回動することになる。解除レバー付きプレート３ｃには、ラッチ機構部３が固定状態にあるときに、トグルリンク機構４ａの手動解除用のトリガレバー４ｇと対向し、かつ、解放位置（Ｐ２）側に回動する際にそのトリガレバー４ｇを解除方向（矢印Ａ２方向）に押動する位置に解除レバー３ｉが設けられている（図４参照）。すなわち、ラッチプレート３ａを、コイルスプリング８ｃの付勢力に打ち勝って、解除レバー付きプレート３ｃと共に、解放位置（Ｐ２）側に回動させれば、解除レバー３ｉによりトリガレバー４ｇを解除方向に押動して、トグルリンク機構４ａを屈折状態に変化させ、ラッチ機構部３を解除状態に変化させることができる（図７（ａ）乃至同（ｄ）参照）。
【００４０】
つまり、保持力調節機構部８は、ラッチプレート３ａの移動側調節片８ａと係止プレート３ｂの固定側調節片８ｂとを接近方向に付勢するコイルスプリング８ｃの付勢力を調節することにより、ラッチ機構部３を防火戸を使用して手動で解除状態にするのに要する力を調節するものである。
【００４１】
［解除操作用開口部］
この自動閉鎖装置１は、図２乃至図４に示したように、筐体２に、解除操作用開口部１０が設けられており、その解除操作用開口部１０を通じて筐体２の外部から内部のラッチ機構部３を解除状態にする操作ができるようになっている。
【００４２】
解除操作用開口部１０は、本実施形態の場合、筐体２の側壁のうち、ラッチ開口部２ａが設けられている側（具体的には筐体下側２ｃの側壁２ｅ）に設けられており、かつ、その開口部に挿通させた棒状体１１がラッチ固定機構部４に到達可能であると共に、ラッチ固定機構部４を解除動作させるように操作可能な位置に設けられている。
【００４３】
ここで、本実施形態において、ラッチ固定機構部４は、トグルリンク機構４ａにおける第２のアーム４ｃの回動端部４ｉの先端面が、両アーム４ｂ，４ｃが伸張状態にあるときに筐体下側２ｃの側壁２ｅの内側に対向する配置で設けられている。解除操作用開口部１０は、図３及び図４から容易に理解されるように、その伸張状態にあるときの第２のアーム４ｃの回動端部４ｉを棒状体１１により解除動作させる操作が可能な位置に設けられている。
【００４４】
つまり、自動閉鎖装置１は、解除操作用開口部１０を通じて外部から内部に挿入した棒状体１１により、ラッチ固定機構部４における伸張状態にあるトグルリンク機構４ａの第２のアーム４ｃの回動端部４ｉを操作して解除方向（矢印Ａ２方向）に移動させる操作をすることができるようになっており、それにより、トグルリンク機構４ａを伸張状態から屈折状態に変化させて、ラッチ機構部３を固定状態から解除状態に変化させることができるようになっている（図４及び図６（ａ）乃至同（ｃ）参照）。
【００４５】
したがって、本実施形態の自動閉鎖装置１によれば、その解除操作用開口部１０が設けられていることにより、筐体２の外部から解除操作用開口部１０を通じてラッチ機構部３を解除状態にする操作をすることができ、ラッチプレート３ａを引っ張ることなしに、かつ、ラッチプレート３ａを係合状態に保持する保持力調節機構部８のコイルスプリング８ｃの付勢力に抗することなしに、ラッチ機構部３を手動で解除状態にすることができる。すなわち、防火戸を使用せずに（防火戸の設置前であっても）ラッチ機構部３を手動で容易に解除状態にすることができる。
【００４６】
なお、本実施形態の自動閉鎖装置１においては、防火戸を使用せずにラッチ機構部３を手動で容易に解除状態にすることができるので、施工時、防火戸の設置が完了するまでの間、防火戸に取り付けられるフックＨの紛失を防ぐために、ラッチプレート３ａにフックＨを仮に係合させておき、防火戸の設置が完了した後にフックＨをラッチプレート３ａから取り外して防火戸に取り付けるようにしたとしても、その際に必要となるフックＨの取り外しの作業を容易にすることができる。
【００４７】
また、解除操作用開口部１０が、ラッチ開口部２ａのある側の側壁２ｅに設けられていることにより、例えば、壁に埋め込んだような状態で自動閉鎖装置１を設置した後であっても、筐体２の外部から解除操作用開口部１０を通じて手動でラッチ機構部３を解除状態に変化させることができる。また、解除操作用開口部１０が、その開口部に挿通させた棒状体１１によりラッチ機構部３を解除状態にする操作が可能なものであることにより、例えば、施工時、作業者が通常持っているドライバ等の簡単な工具をその操作に使用することができる。また、解除操作用開口部１０が、その開口部を通じてラッチ固定機構部４の操作が可能な位置に設けられていることにより、ラッチ固定機構部４を解除動作させる操作をするだけでラッチ機構部３を解除状態にすることができ、さらに容易にラッチ機構部３を手動で解除状態にすることができる。また、解除操作用開口部１０を通じての操作対象を、その解除操作用開口部１０が設けられている側壁２ｄの内側に対向して位置するラッチ固定機構部４における第２のアーム４ｃの回動端部４ｉとしていることにより、解除操作用開口部１０に挿通した棒状体１１をその操作対象である回動端部４ｉに容易に到達させることができる。
【００４８】
ここで、本実施形態の場合、第２のアーム４ｃ回動端部４ｉは、筐体２の底面側に向けて立設されて、トグルリンク機構４ａが伸張状態にあるときに筐体２の側壁２ｅに対して略平行な先端面を形成する立片４ｊを先端に有するものとしている（図３等参照）。これにより、解除操作用挿通口１０に挿通した棒状体１１により第２のアーム４ｃの回動端部４ｉを解除方向（矢印Ａ２方向）に回動させる操作をする際に、棒状体１１を立片４ｊの高さのある側部に接触させて操作をすることができ、その操作を容易にすることができる。
【００４９】
次に、ラッチ機構部３をラッチ固定機構部４が固定状態に保持している状態から解除状態に変化させる際の動作にについて、ソレノイド５の起動により自動操作で行う場合、解除操作用開口部１０を通じて手動操作により行う場合、防火戸を使用して手動操作により行う場合に分けて説明する。
【００５０】
［自動操作］
図５（ａ）乃至同（ｃ）は、ソレノイド５の起動によりラッチ機構部３を自動で固定状態から解除状態に変化させる場合の各部品の変化の様子を示したものである。（ａ）に示したように、ラッチ機構部３が固定状態にあるとき、ラッチプレート３ａの係合部３ｅは、防火戸のフックＨと係合する係合位置（Ｐ１）にある。その状態が、ラッチ固定機構部４のトグルリンク機構４ａが伸張状態に保持されることにより保持されている。ソレノイド５が起動すると、そのプランジャ５ａが伸長状態から縮長状態に変化可能となる。その際、プランジャ５ａが伸張状態で動作を停止させていた自動解除機構（図示省略）が動作して、プランジャ５ａを縮長状態に変化させつつ、トグルリンク機構４ａのトリガピン４ｆを解除方向（矢印Ａ１方向）に移動させる。トリガピン４ｆの解除方向への移動により、（ｂ）及び（ｃ）に連続して示したように、トグルリンク機構４ａの第１及び第２のアーム４ｂ，４ｃが伸張状態から屈折状態に変化すると共に、ラッチアーム３ｄがその係合凹部３ｇを係止プレート３ｂの係合凸部３ｆと係合しない位置（図面上の上方）へと回動して、係止プレート３ｂの解放位置の回動を停止している状態を解除し、ラッチプレート３ａ、係止プレート３ｂ及び解除レバー付きプレート３ｃを解放位置（Ｐ２）側に回動させて（図面上の時計回り）、ラッチプレート３ａの係合部３ｅが解放位置（Ｐ２）に至るまで回動させる。これにより、ラッチ機構部３が解除状態になり、防火戸のフックＨを解放する。
【００５１】
［解除操作用開口部を通じての手動操作］
図６（ａ）乃至同（ｃ）は、解除操作用開口部１０を通じての操作により手動でラッチ機構部３を固定状態から解除状態に変化させる場合の各部品の変化の様子を示したものであるが、ラッチ固定機構部４に対する操作位置が変わるだけで、ラッチ機構部３及びラッチ固定機構部４の部分の動作自体は、前記で説明した自動操作の場合と同じである。すなわち、（ａ）は、ラッチ機構部３が固定状態にあるときの状態を示したものであり、ラッチ機構部３とラッチ固定機構部４は、前記の図５（ａ）に示した場合と同じ状態にある。解除操作用開口部１０を通じて外部から棒状体１１により手動でラッチ機構部３を解除状態にする場合、（ａ）に示したように、筐体２の外部から解除操作用開口部１０に棒状体１１を操作対象であるトグルリンク機構４ａにおける第２のアーム４ｃの回動端部４ｉに向けて挿通し、その挿通した棒状体１１を回動端部４ｉにおける、第２のアーム４ｃをトグルリンク機構４ａの解除方向（矢印Ａ２方向）に回動させることができる位置（例えば、立片４ｊの側部）に接触させる。そして、（ｂ）に示したように、棒状体１１を回動させて、回動端部４ｉを押動することにより、第２のアーム４ｃを解除方向（矢印Ａ２方向）に回動させて、トグルリンク機構４ａの第１及び第２のアーム４ｂ，４ｃを屈折状態に変化させる。それにより、（ｂ）及び（ｃ）に連続して示したように、前記の図５（ｂ）及び同（ｃ）を参照しつつ説明したのと同様、ラッチプレート３ａの係合部３ｅを解放位置（Ｐ２）に至るまで回動させて、ラッチ機構部３を解除状態にすることができる。
【００５２】
［防火戸を使用しての手動操作］
図７（ａ）乃至同（ｄ）は、防火戸を引っ張ることにより手動でラッチ機構部３を固定状態から解除状態に変化させる場合の各部品の変化の様子を示したものである。（ａ）は、ラッチ固定機構部４が固定状態にあるときの状態を示したものであり、ラッチ機構部３とラッチ固定機構部４は、前記の図５（ａ）に示した場合と同じ状態にある。防火戸を引っ張ることにより手動でラッチ機構部３を解除状態にする場合、防火戸を引っ張ることにより、防火戸のフックＨと係合しているラッチプレート３ａを、解除レバー付きプレート３ｃと共に、解放位置（Ｐ２）側に回動する方向に引っ張ることになり、回動が停止されている状態にある係止プレート３ｂから回動方向に離間させる方向に引っ張ることになる。その際、ラッチプレート３ａの移動側調節片８ａと係止プレート３ｂの固定側調節片８ｂを接近方向に付勢しているコイルスプリング８ｃの付勢力に勝る力でラッチプレート３ａを引っ張れば、（ｂ）乃至（ｄ）に連続して示したように、ラッチプレート３ａは、解除レバー付きプレート３ｃと共に解放位置（Ｐ２）側に回動することになる。それにより、解除レバー付きプレート３ｃの解除レバー３ｉがトグルリンク機構４ａのトリガレバー４ｇを解除方向（矢印Ａ２方向）に押動して、トグルリンク機構４ａの第１及び第２のアーム４ｂ，４ｃを伸張状態から屈折状態に変化させる。すなわち、前記の図５（ｂ）及び同（ｃ）を参照しつつ説明したのと同様、ラッチプレート３ａの係合部３ｅを解放位置（Ｐ２）に至るまで回動させて、ラッチ機構部３を解除状態にすることができる。
【００５３】
以上、この発明の実施形態の一例について図１乃至図７を参照しつつ説明したが、この発明は、前記の実施形態の構成に限定されるものではなく、発明の要旨の範囲内で適宜、その構成を変更することができる。
【００５４】
例えば、解除操作用開口部１０の数については、もちろん複数であってもよい。また、解除操作用開口部１０を設ける場所については、ラッチ開口部２ａが設けられる側の側壁２ｅに設けるのが好ましいが、その他の側壁に設けるようにしてもよいし、上壁又は底壁に設けるようにしてもよい。
【００５５】
さらに、解除操作用開口部１０の内側に、挿通させた棒状体を操作対象に向けてガイドするガイド部を設けるようにしてもよい。その場合、ガイド部の形状は、筒状とすることができる。そのようなガイド部を設けることにより、挿通させた棒状体を操作対象に容易に到達させることができるし、操作対象以外の部分に接触するのを防ぐことができる。さらに、ガイド部の形状を筒状にする場合、それに加えて操作対象に向けて先細の形状とすることができる。そのような先細の形状とすることにより、操作対象に向けて正確にガイドすることができる。
【００５６】
また、トグルリンク機構４ａにおける第２のアーム４ｃに設けた立片４ｊについては、単に凸状の部分としてもよく、例えばトリガピン４ｆのような棒状の部分としてもよい。
【００５７】
さらに、上記実施形態では、その立片４ｊを、トグルリンク機構４ａの伸張状態時に筐体２の側壁２ｅに略平行な先端面を形成するものとしているが、図８に示したように、第２のアーム４ｃを解除方向に回動させるカム面として機能するように傾斜した先端面を形成するものとしてもよい。すなわち、解除操作用開口部１０に挿通した棒状体１１を矢印Ａ３方向に直進させて押動することにより第２のアーム４ｃを矢印Ａ２方向に回動させるように機能する傾斜面として、その先端面を形成するものとしてもよい。このようにすることにより、棒状体１１を回動させることなしに、正面からまっすぐに押すだけでトグルリンク機構４ａの解除操作をすることができる。
【符号の説明】
【００５８】
１：防火戸用自動閉鎖装置  ２：筐体  ２ａ：ラッチ開口部  ２ｂ：筐体上側  ２ｃ：筐体下側  ２ｄ：側壁  ２ｅ：側壁  ３：ラッチ機構部  ３ａ：ラッチプレート  ３ｂ：係止プレート  ３ｃ：解除レバー付きプレート  ３ｄ：ラッチアーム  ３ｅ：係合部  ３ｆ：係合凸部  ３ｇ：係合凹部  ３ｉ：解除レバー  ４：ラッチ固定機構部  ４ａ：トグルリンク機構  ４ｂ：第１のアーム  ４ｃ：第２のアーム  ４ｄ：ジョイント部  ４ｅ：ジョイント部  ４ｆ：トリガピン  ４ｇ：トリガレバー  ４ｈ：スプリング  ４ｉ：回動端部  ４ｊ：立片  ５：ソレノイド  ５ａ：プランジャ  ７：中間シャーシ  ８：保持力調節機構部  ８ａ：移動側調節片  ８ｂ：固定側調節片  ８ｃ：コイルスプリング  ８ｄ：調節ネジ  １０：解除操作用開口部  １１：棒状体  Ｘ１〜Ｘ３：軸  Ｈ：防火戸のフック
【図１】
2018104887.tif 000003
【図２】
2018104887.tif 000004
【図３】
2018104887.tif 000005
【図４】
2018104887.tif 000006
【図５】
2018104887.tif 000007
【図６】
2018104887.tif 000008
【図７】
2018104887.tif 000009
【図８】
2018104887.tif 000010